(57)【要約】本発明は、各種ＤＶＤの光ディスクを記録及び／又は再生する光ディスク装置に適用して、再生信号ＲＦのエンベロープＳ２にオフセットＶ１を与えて判定基準Ｓ３を生成し、この判定基準Ｓ３により再生信号ＲＦ（Ｓ４）を２値化して処理する。
2002101741.tif 000002
【特許請求の範囲】
【請求項１】
光ディスクにレーザービームを照射し、前記光ディスクにデータを記録し及び／又は前記光ディスクに記録されたデータを再生する光ディスク装置において、
前記レーザービームの戻り光を受光して前記レーザービームが照射されてなる部位の反射率に応じて信号レベルが変化する再生信号を生成する再生信号生成手段と、
前記再生信号のエンベロープ信号を検出するエンベロープ検出手段と、
前記エンベロープ信号にオフセット電圧を与えて判定基準信号を生成するオフセット手段と、
前記再生信号より周波数の高い信号レベルの変動を制限して出力する帯域制限手段と、
前記判定基準信号を基準にして、前記帯域制限手段の出力信号を２値化して２値化信号を生成する２値化手段と、
前記２値化信号をデコードして前記光ディスクにバーコード状に記録された管理用情報を復号するデコード手段と
を備えることを特徴とする光ディスク装置。
【請求項２】
前記エンベロープ検出手段が、
ローパスフィルタである
ことを特徴とする請求の範囲第１項に記載の光ディスク装置。
【請求項３】
前記オフセット手段が、
前記オフセット電圧を発生させるオフセット電圧発生手段と、
前記エンベロープ信号を前記オフセット電圧の分だけオフセットさせる減算回路とである
ことを特徴とする請求の範囲第１項に記載の光ディスク装置。
【請求項４】
前記オフセット手段が、
ダイオードであり、
前記ダイオードの順方向電圧降下により、前記エンベロープ信号にオフセット電圧を与える
ことを特徴とする請求の範囲第１項に記載の光ディスク装置。
【請求項５】
前記光ディスクにバーコード状に記録された管理情報は、
前記光ディスクの内周側に記録されている
ことを特徴とする請求の範囲第１項に記載の光ディスク装置。
【請求項６】
光ディスクにレーザービームを照射し、前記光ディスクにデータを記録し及び／又は前記光ディスクに記録されたデータを再生する光ディスク装置において、
前記光ディスクの内周側に設けられた領域であって、バーコード状に管理情報が記録された領域に対して、前記レーザービームを照射する光源と、
前記レーザービームの戻り光を受光して前記レーザービームが照射されてなる前記領域内における反射率変化に応じて信号レベルが変化する再生信号を生成する再生信号生成手段と、
前記再生信号のエンベロープ信号を検出するエンベロープ検出手段と、
前記エンベロープ信号にオフセット電圧を与えて判定基準信号を生成するオフセット手段と、
前記再生信号より周波数の高い信号レベルの変動を制限して出力する帯域制限手段と、
前記判定基準信号を基準にして、前記帯域制限手段の出力信号を２値化して２値化信号を生成する２値化手段と、
前記２値化信号をデコードして前記バーコード状に記録された管理用情報を復号するデコード手段と
を備えることを特徴とする光ディスク装置。
【請求項７】
前記エンベロープ検出手段が、
ローパスフィルタである
ことを特徴とする請求の範囲第６項に記載の光ディスク装置。
【請求項８】
前記オフセット手段が、
前記オフセット電圧を発生させるオフセット電圧発生手段と、
前記エンベロープ信号を前記オフセット電圧の分だけオフセットさせる減算回路とである
ことを特徴とする請求の範囲第６項に記載の光ディスク装置。
【請求項９】
前記オフセット手段が、
ダイオードであり、
前記ダイオードの順方向電圧降下により、前記エンベロープ信号にオフセット電圧を与える
ことを特徴とする請求の範囲第６項に記載の光ディスク装置。
【請求項１０】
光ディスクにレーザービームを照射し、前記光ディスクにデータを記録し及び／又は前記光ディスクに記録されたデータを再生する光ディスクの記録及び／又は再生方法において、
前記光ディスクの内周側に設けられた領域であって、バーコード状に管理情報が記録された領域に対して、前記レーザービームを照射し、
前記レーザービームの戻り光を受光して前記レーザービームが照射されてなる前記領域の反射率変化に応じて信号レベルが変化する再生信号より、エンベロープ信号を検出し、
前記エンベロープ信号にオフセット電圧を与えて判定基準信号を生成し、
前記再生信号より周波数の高い信号レベルの変動を制限した後、前記判定基準信号を基準にして、２値化して２値化信号を生成し、
前記２値化信号をデコードして前記光ディスクにバーコード状に記録された管理用情報を復号し、
前記復号された前記管理情報を参照して前記光ディスクにデータに記録し及び／又は前記光ディスクからデータを再生する
ことを特徴とする光ディスクの記録及び／又は再生方法。
【発明の詳細な説明】
発明の背景
技術分野
本発明は、光ディスク装置及び光ディスクの記録及び／又は再生方法に関し、例えばＤＶＤに関する各規格における光ディスクを記録及び／又は再生する光ディスク装置に適用することができる。本発明は、再生信号のエンベロープにオフセットを与えて判定基準を生成し、この判定基準により再生信号を２値化して処理することにより、バーコード状に記録された管理用情報を種々の光ディスクより確実に再生することができる。
背景技術
従来、ＤＶＤ系のディスクにおいては、光ディスクの内周側にバーコード状に管理用情報が記録され、この管理用情報を光ディスクの管理に役立てるようになされたものがある。
すなわちこの管理用情報は、コピー禁止の情報、光ディスクに固有の識別情報等により構成され、第１図（Ａ）に示すように、通常のデータ記録エリアより光ディスクの内周側にＹＡＧレーザー等の高出力レーザーを照射し、情報記録面の構成材料を放射状に順次蒸発させることにより記録される。なおＲＯＭディスクでは、この高出力レーザーによりアルミ反射膜が蒸発され、追記型ディスクでは色素膜と反射膜（Ａｕ、Ａｇ等）とが蒸発され、書き換え型ディスクでは、相変化膜と反射膜（Ａｕ、Ａｇ等）とが蒸発される。
管理用情報は、ＤＶＤ−ＲＯＭ、ＤＶＤ−ＲＡＭの光ディスクでは、ＢＣＡ（Ｂｕｒｓｔ  Ｃｕｔｔｉｎｇ  Ａｒｅａ）に記録され、このＢＣＡが、センターホールの中心から２２．３（＋０、−０．８）〜２３．５（＋０．１、−０．１）〔ｍｍ〕の範囲に設定されるようになされている。これに対してＤＶＤ−Ｒ、ＤＶＤ−ＲＷの光ディスクでは、ＮＢＣＡ（Ｎａｒｒｏｗ  Ｂｕｒｓｔ  Ｃｕｔｔｉｎｇ  Ａｒｅａ）に記録され、ＤＶＤ−Ｒの光ディスクでは、このＮＢＣＡが、センターホールの中心から２２．７１（＋０．０６、−０．０６）〜２３．５１（＋０．０６、−０．０６）〔ｍｍ〕の範囲に設定され、ＤＶＤ−ＲＷの光ディスクでは、このＮＢＣＡが、センターホールの中心から２２．７（＋０．０５、−０．０５）〜２３．５（＋０．０５、−０．０５）〔ｍｍ〕の範囲に設定されるようになされている。
管理用情報は、ＲＺ変調して記録されるようになされ、これらによりトラッキングサーボしない状態で得られる再生信号ＲＦ（第１図（Ｂ）〜（Ｅ））を２値化して処理することにより、再生できるようになされている。
なお上述した領域にＢＣＡ、ＮＢＣＡが設定されることにより、またＤＶＤ−ＲＯＭ、ＤＶＤ−ＲＡＭ等の光ディスクにおいては、これらの領域がエンボス状のピットが予め形成されたプリピット領域であることにより、これらの光ディスクでは、この管理用情報を再生する際に得られる再生信号ＲＦ（ＢＣＡ）（第１図（Ｂ）及び（Ｃ））において、ピットによる信号レベルの変化（第１図（Ｃ）における周期の短い信号レベルの変化）が重畳される。これに対してこれらの領域にピットが形成されていないＤＶＤ−Ｒ、ＤＶＤ−ＲＷ等の光ディスクでは、この管理用情報を再生する際に得られる再生信号ＲＦ（ＮＢＣＡ）（第１図（Ｄ）及び（Ｅ））において、このようなピットによる信号レベルの変化が観察されない特徴がある。なお第１図（Ｃ）及び（Ｅ）において、Ｔ１は、３±１．５〔μｓｅｃ〕であり、Ｔ２は、８．８９ｎ±２〔μｓｅｃ〕であり、ｎは、値１、２、３又は４である。
ところでこれら各種の光ディスクを記録及び／又は再生する光ディスク装置においては、何れの光ディスクからも、このような管理用情報を確実に再生することが求められる。
しかしながらこの管理用情報が記録されてなるＢＣＡ、ＮＢＣＡより得られる再生信号ＲＦにおいては、光ディスクの種類により、さらには個々の光ディスクにより種々に異なる特徴がある。具体的に、これらＢＣＡ、ＮＢＣＡより得られる再生信号においては、光ディスクにより変調度が種々に変化し、また偏心した場合のミラー面による変調（第１図（Ｂ）及び（Ｄ）における周期の大きな信号レベルの変動）が種々に異なる特徴がある。
これにより光ディスク装置においては、これらＢＣＡ、ＮＢＣＡより得られる再生信号を２値化する際の、判定基準値を適切に設定することが困難で、結局、このような各種の光ディスクより管理情報を確実に再生することが困難な問題があった。
発明の開示
本発明は以上の点を考慮してなされたもので、バーコード状に記録された管理用情報を種々の光ディスクより確実に再生することができる光ディスク装置及び光ディスクの記録及び／又は再生方法を提案しようとするものである。
かかる課題を解決するため本発明においては、光ディスク装置に適用して、再生信号のエンベロープ信号を検出するエンベロープ検出手段と、このエンベロープ信号にオフセット電圧を与えて判定基準信号を生成するオフセット手段と、再生信号より周波数の高い信号レベルの変動を制限して出力する帯域制限手段と、判定基準信号を基準にして、帯域制限手段の出力信号を２値化して２値化信号を生成する２値化手段とを備えるようにする。
本発明の構成によれば、再生信号のエンベロープ信号を検出するエンベロープ検出手段と、このエンベロープ信号にオフセット電圧を与えて判定基準信号を生成するオフセット手段と、再生信号より周波数の高い信号レベルの変動を制限して出力する帯域制限手段と、判定基準信号を基準にして、帯域制限手段の出力信号を２値化して２値化信号を生成する２値化手段とを備えることにより、光ディスクの種類により、さらには光ディスクにより、再生信号の信号レベルが種々に変化する場合でも、適切に判定基準信号の信号レベルを設定して再生信号を２値化することができ、これによりバーコード状に記録された管理用情報を種々の光ディスクより確実に再生することができる。
また本発明においては、光ディスクの記録及び／又は再生方法に適用して、再生信号より、エンベロープ信号を検出し、このエンベロープ信号にオフセット電圧を与えて判定基準信号を生成し、再生信号より周波数の高い信号レベルの変動を制限した後、この判定基準信号を基準にして２値化信号を生成する。
これにより本発明の構成によれば、バーコード状に記録された管理用情報を種々の光ディスクより確実に再生することができる光ディスクの記録及び／又は再生方法を提供することができる。
発明を実施するための最良の形態
以下、適宜図面を参照しながら本発明の実施例を詳述する。
（１）第１の実施例の構成
第２図は、第１の本発明の実施例に係る光ディスク装置を示すブロック図である。この光ディスク装置１では、ＤＶＤ−ＲＯＭ、ＤＶＤ−ＲＡＭ、ＤＶＤ−Ｒ、ＤＶＤ−ＲＷ等の光ディスク２を記録及び／又は再生する。
すなわち光ディスク装置１において、スピンドルモータ３は、モータドライバ４の駆動により光ディスク２を所定の回転速度で回転駆動する。光ピックアップ５は、所定のスレッド機構により光ディスク２の半径方向に可動できるように保持され、光ディスク２にレーザービームを照射すると共に、所定の受光素子によりこのレーザービームの戻り光を受光する。光ピックアップ５は、この戻り光の受光結果をＲＦアンプ６に出力する。また光ピックアップ５は、図示しない駆動回路の制御により光ディスク２に照射するレーザービームの光量を間欠的に立ち上げ、これにより記録可能な光ディスク２については、光ディスク２に順次ピット列を形成してデータを記録するようになされている。
ＲＦアンプ６は、光ピックアップ５より出力される受光結果を電流電圧変換処理して演算処理することにより、レーザービームが照射されてなる部位の反射率に応じて信号レベルが変化する再生信号ＲＦ、トラッキングエラー量に応じて信号レベルが変化するトラッキングエラー信号、フォーカスエラー量に応じて信号レベルが変化するフォーカスエラー信号等を生成して出力する。
モータドライバ４は、ＲＦアンプ６を介して得られる再生信号ＲＦ等を処理して得られるクロックを基準にしたシステムコントローラ７による制御により、スピンドルモータ３を駆動し、これにより光ディスク装置１では、スピンドル制御できるようになされている。また光ピックアップドライバ８は、同様のトラッキングエラー信号、フォーカスエラー信号等を基準にしたシステムコントローラ７による制御により、光ピックアップ５の対物レンズを可動し、また光ピックアップ５をシークさせる。これにより光ディスク装置１では、トラッキング制御、フォーカス制御できるようになされ、また光ピックアップ５をシークさせてＢＣＡ、ＮＢＣＡ等にレーザービームを照射できるようになされている。
信号処理回路９は、再生信号ＲＦよりクロックを再生し、さらにこのクロックにより再生信号ＲＦを処理して光ディスク２に記録されたデータを再生する。
システムコントローラ７は、この光ディスク装置１全体の動作を制御するコンピュータであり、トラッキングエラー信号、フォーカスエラー信号等により、さらにはホスト装置からの要求によりモータドライバ４、光ピックアップドライバ８等を駆動する。これにより光ディスク装置１では、光ディスク２が装填された場合、さらには電源が立ち上げられた場合、光ディスク２より光ディスク２の記録及び／又は再生に必要な情報を取得し、またこのようにして取得した情報を基準にして、ホスト装置からの要求に応じて光ディスク２を記録及び／又は再生するように全体の動作を制御する。
これらの処理において、システムコントローラ７は、電源起動時等に光ディスク２より取得した情報に基づいて、光ディスク２にＢＣＡ又はＮＢＣＡが設けられているか否か判断し、光ディスク２にＢＣＡ又はＮＢＣＡが設けられている場合には、これらＢＣＡ又はＮＢＣＡをシークするように、モータドライバ４、光ピックアップドライバ８等を駆動する。またこのようにＢＣＡ、ＮＢＣＡをシークした状態で、復調回路１０より得られる２値化信号Ｓ１をデコードすることにより、ＢＣＡ又はＮＢＣＡに記録された管理用情報を再生する。
このようにしてＢＣＡ又はＮＢＣＡに記録された管理用情報を再生した場合、システムコントローラ７においては、この管理用情報を内蔵のメモリに記録して保持し、この管理用情報を基準にした管理により、さらには起動時等に取得した光ディスク２の記録及び／又は再生に必要な情報に基づいて、光ディスク２を記録及び／又は再生するように全体の動作を制御する。
復調回路１０においては、再生信号ＲＦを所定の判定基準値により２値化して２値化信号Ｓ１を出力する。すなわち復調回路１０において、ローパスフィルタ（ＬＰＦ）１３は、再生信号ＲＦを帯域制限して出力することにより、再生信号ＲＦのエンベロープに応じて信号レベルが変化するエンベロープ信号Ｓ２を検出して出力する。
かくするにつきこの光ディスク装置１において、光ディスク２がＤＶＤ−ＲＯＭ、ＤＶＤ−ＲＡＭの光ディスクの場合、予めエンボス状のピットが形成されたプリピット領域にＢＣＡが設定されていることにより、第３図（Ａ）及び（Ｂ）に示すように、ＢＣＡより得られる再生信号ＲＦ（ＢＣＡ）においては、ＢＣＡに記録された管理情報に応じて信号レベルが変化し、この信号レベルの変化に対して、光ディスク２に形成されたピットに応じた細かな周期の変動が観察され、さらに光ディスク２の偏心により全体の信号レベルが大きな周期により変動して観察される。ローパスフィルタ１３は、カットオフ周波数の設定により、このような大きな周期により変動する信号レベルの変化を抽出してエンベロープ信号Ｓ２（第３図（Ｅ））を出力するようになされている。
これに対して光ディスク２がＤＶＤ−Ｒ、ＤＶＤ−ＲＷの光ディスクの場合、ＮＢＣＡにはピットが形成されていないことにより、第４図（Ａ）及び（Ｂ）に示すように、ＮＢＣＡより得られる再生信号ＲＦ（ＮＢＣＡ）においては、ＢＣＡより得られる再生信号ＲＦ（ＢＣＡ）からピットに由来する細かな周期の変動を取り除いた信号波形により観察される。これによりローパスフィルタ１３は、この場合も、大きな周期により変動する信号レベルの変化を抽出してエンベロープ信号Ｓ２（第４図（Ｅ））を出力する。
具体的に、ローパスフィルタ１３は、光ディスク２を回転速度２０〔Ｈｚ〕に設定した場合に、カットオフ周波数が２０〔ｋＨｚ〕に設定されるようになされ、これによりＢＣＡから得られる再生信号ＲＦ（ＢＣＡ）については、ピットによる周期の短い信号レベルの変化を取り除いた、大きな周期により信号レベル変化成分のみによるエンベロープ信号Ｓ２を出力するようになされ、またＮＢＣＡより得られる再生信号ＲＦ（ＮＢＣＡ）については、ＢＣＡから得られる再生信号ＲＦ（ＢＣＡ）の場合と同様のエンベロープ信号Ｓ２を出力するようになされている。
オフセット発生回路１４は、所定の直流電圧であるオフセット電圧Ｖ１を生成して出力し、減算回路１６は、エンベロープ信号Ｓ２よりオフセット電圧Ｖ１を減算して判定基準信号Ｓ３を出力する（第３図（Ｅ）及び第４図（Ｅ））。これにより復調回路１０では、再生信号ＲＦのエンベロープを基準にして再生信号ＲＦの２値化の基準である判定基準信号Ｓ３を生成するようになされている。
ローパスフィルタ（ＬＰＦ）１５は、ＢＣＡから得られる再生信号ＲＦ（ＢＣＡ）に含まれる細かな周期の信号レベルの変化のみを制限するように、カットオフ周波数が設定され、ＲＦアンプ６から出力される再生信号ＲＦを帯域制限して出力する。これによりローパスフィルタ１５は、ＢＣＡから得られる再生信号ＲＦ（ＢＣＡ）を処理する場合、ピットによる細かな周期の信号レベルの変化のみを抑圧し、ＢＣＡにおけるバーコード状の記録に対応して信号レベルが変化し、かつ大きな周期により信号レベルが変化してなる出力信号Ｓ４を出力する（第３図（Ｃ）及び（Ｄ））。これに対してＮＢＣＡより得られる再生信号ＲＦ（ＮＢＣＡ）を処理する場合、再生信号ＲＦ（ＮＢＣＡ）に本来のピットに由来する信号レベルの変化が無いことにより、ＮＢＣＡにおけるバーコード状の記録に対応して信号レベルが変化し、かつ大きな周期で信号レベルが変化してなる出力信号Ｓ４を出力する（第４図（Ｃ）及び（Ｄ））。
具体的に、ローパスフィルタ１５は、光ディスク２を回転速度２０〔Ｈｚ〕に設定した場合に、カットオフ周波数が４００〔ｋＨｚ〕に設定されるようになされている。
比較回路１７は、ローパスフィルタ１５の出力信号Ｓ４を判定基準信号Ｓ３により識別することにより、再生信号ＲＦの２値化信号Ｓ１を出力する。
（２）第１の実施例の動作
以上の構成において、光ディスク装置１では、光ディスク２の装填が検出されると、又は電源が立ち上げられると、システムコントローラ７の制御により光ピックアップ５が光ディスク２の内周側領域にシークして光ディスク２に記録された光ディスク２の記録及び／又は再生に必要な情報が再生される。さらにこの情報により光ディスク２にＢＣＡ又はＮＢＣＡが作成されている場合には、さらにこれら領域をアクセスするようにシステムコントローラ７により光ピックアップ５がシークされる。
光ディスク装置１では、ＢＣＡ又はＮＢＣＡに光ピックアップ５をシークさせると、光ピックアップドライバ８によるトラッキング制御が停止された状態で、光ピックアップ５より光ディスク２にレーザービームを照射して得られる戻り光が光ピックアップ５で受光され、この受光結果のＲＦアンプ６の処理により、レーザービーム照射位置の反射率に応じて信号レベルが変化する再生信号ＲＦ（第３図（Ａ）、（Ｂ）及び第４図（Ａ）、（Ｂ））が検出される。さらにこの再生信号ＲＦが復調回路１０のローパスフィルタ１３に入力され、ここで再生信号ＲＦより大きな周期で信号レベルが変化する信号成分が抽出されエンベロープ信号Ｓ２（第３図（Ｅ）及び第４図（Ｅ））が検出される。さらに続く減算回路１６によりオフセット電圧Ｖ１の分だけエンベロープ信号Ｓ２にオフセットが与えられ、これにより再生信号ＲＦを２値化する基準信号である判定基準信号Ｓ３が生成される。
また再生信号ＲＦは、ローパスフィルタ１５で、ピットによる短い周期の信号レベルの変動が制限され（第３図（Ｃ）、（Ｄ）及び第４図（Ｃ）、（Ｄ））、このローパスフィルタ１５の出力信号Ｓ４が判定基準信号Ｓ３により判定されて２値化信号Ｓ１が生成される。光ディスク装置１では、この２値化信号Ｓ１がシステムコントローラ７によりデコードされて管理用情報が再生される。
光ディスク装置１では、このようにして再生信号ＲＦのエンベロープを基準にして再生信号ＲＦを２値化する判定基準信号Ｓ３が生成されることにより、偏心によって再生信号ＲＦの信号レベルが全体として大きな周期で変動する場合でも、この信号レベルの変動に応じた基準値により再生信号ＲＦを２値識別することができる。また光ディスクにより変調度が異なり、再生信号ＲＦの振幅が種々に変化する場合でも、この変化に対応した基準値により再生信号ＲＦを２値識別することができる。これによりこの光ディスク装置１では、種々の光ディスクよりバーコード状に記録された管理用情報を確実に再生することができる。
かくするにつき実験した結果によれば、ＲＦアンプ６における利得のばらつき、レーザービームの光量のばらつき等によって、再生信号ＲＦの信号レベルがばらついた場合でも、ＲＦアンプ６より出力される再生信号ＲＦにおいて、１〔Ｖ〕程度の振幅を確保することができれば、確実に再生信号ＲＦを２値識別することができた。
（３）第１の実施例の効果
再生信号のエンベロープにオフセットを与えて判定基準を生成し、この判定基準により再生信号を２値化して処理することにより、バーコード状に記録された管理用情報を種々の光ディスクより確実に再生することができる。
さらにこの再生信号のエンベロープをローパスフィルタで検出することにより、簡易な構成により確実に管理用情報を検出することができる。
またオフセット電圧発生手段であるオフセット発生回路１４によりオフセット電圧Ｖ１を発生させ、減算回路１６でエンベロープ信号より減算して判定基準を生成することにより、このオフセット電圧Ｖ１の設定により、さらには必要に応じて切り換えることにより、適切な信号レベルに判定基準を維持して管理用情報を確実に再生することができる。
（４）第２の実施例
第５図は、本発明の第２の実施例に係る光ディスク装置に適用される復調回路を示すブロック図である。この光ディスク装置では、復調回路１０に代えて、この復調回路２０が適用される点を除いて、第１の実施例について上述した光ディスク装置１と同一に構成される。
この復調回路２０においては、オフセット発生回路１４及び減算回路１６に代えて、ダイオード２１の順方向電圧降下により、エンベロープ信号Ｓ２にオフセットを与え、判定基準信号Ｓ３を生成する。
第５図の構成によれば、ダイオードの順方向電圧降下により、エンベロープ信号にオフセット電圧を与えて判定基準信号を生成することにより、第１の実施例に比して簡易な構成により、第１の実施例と同様の効果を得ることができる。
（５）他の実施例
なお上述の実施例においては、ローパスフィルタによりエンベロープ検出手段を構成する場合について述べたが、本発明はこれに限らず、ピークホールド回路によりエンベロープ検出手段を構成する場合、エンベロープ検波回路によりエンベロープ検出手段を構成する場合等、種々の構成を広く適用することができる。
さらに上述の実施例においては、いわゆるＤＶＤに関する各規格における光ディスクを記録及び／又は再生する場合について述べたが、本発明はこれに限らず、この種のバーコード状の記録により管理用情報を記録した光ディスクを記録及び／又は再生する場合に広く適用することができる。
上述のように本発明によれば、再生信号のエンベロープにオフセットを与えて判定基準を生成し、この判定基準により再生信号を２値化して処理することにより、バーコード状に記録された管理用情報を種々の光ディスクより確実に再生することができる。
産業上の利用可能性
本発明は、光ディスク装置及び光ディスクの記録及び／又は再生方法に関し、例えばＤＶＤに関する各規格における光ディスクを記録及び／又は再生する光ディスク装置に適用することができる。
【図面の簡単な説明】
第１図は、管理用情報の説明に供する略線図である。
第２図は、本発明の第１の実施例に係る光ディスク装置を示すブロック図である。
第３図は、第２図の光ディスク装置の動作の説明に供する信号波形図である。
第４図は、第３図との対比によりＮＢＣＡを記録及び／又は再生する場合の動作の説明に供する信号波形図である。
第５図は、本発明の第２の実施例に係る光ディスク装置に適用される復調回路を示すブロック図である。
符号の説明
１……光ディスク装置、２……光ディスク、３……スピンドルモータ、４……モータドライバ、５……光ピックアップ、６……ＲＦアンプ、７……システムコントローラー、８……光ピックアップドライバ、９……信号処理回路、１０、２０……復調回路、１３、１５……ローパスフィルタ、１４……オフセット発生回路、１６……減算回路、１７……比較回路、２１……ダイオード
【図１】
2002101741.tif 000003
【図２】
2002101741.tif 000004
【図３】
2002101741.tif 000005
【図４】
2002101741.tif 000006
【図５】
2002101741.tif 000007
【国際調査報告】
2002101741.tif 000008
2002101741.tif 000009